(57)【要約】【課題】出力データの生成元の文書管理ツールの種類を表示装置ドライバからの出力データで区別できる文書表示システムを提供すること。【解決手段】ＰＣ１０で起動している文書管理ツール（Ａ）１０１で、表示装置３０へ文書データや画像データを出力する出力命令の操作がなされると、文書管理ツール（Ａ）１０１からＯＳ１００に対して出力命令が送られる。次いで、出力命令済みリスト５０に出力命令が出された処理中の文書を追加登録する。ＯＳ１００からは、ＯＳ１００に登録されているアプリケーション１０２に出力命令を送る。次いで、ＯＳ１００に搭載されたGraphic Device Interface（以下、「ＧＤＩ」という。）１０３のコントロールにより、出力命令済みリスト５０を参照して、表示装置３０のドライバ１０４で出力データ（文書データ）に生成元を示す識別情報としてのタグを付加する処理を行う。【選択図】図８
2011180788.tif 000002
【特許請求の範囲】
【請求項１】
文書データ又は画像データの管理を行う文書管理ツールプログラムと、文書データ又は画像データの出力を指示するアプリケーションプログラムと、表示装置ドライバプログラムとが実行されるコンピュータと、当該コンピュータからの文書データ又は画像データを受信して表示する表示装置とから構成された文書表示システムであって、
前記コンピュータには、出力するデータのデータ名と当該データの出力を命令した文書管理ツール名とを対応させて記憶する出力命令済みリスト記憶手段を備え、
前記文書管理ツールプログラムは、
当該文書管理ツールプログラムが文書データ又は画像データの出力を命令した場合に、前記出力命令済みリスト記憶手段に当該データのデータ名と当該データの出力を命令した文書管理ツール名とを対応させて記憶する記憶処理を前記コンピュータに実行させ、
前記表示装置ドライバプログラムは、
文書データ又は画像データの出力処理を行う場合には、前記出力命令済みリスト記憶手段を参照し、現在処理中のデータ名が前記出力命令済みリスト記憶手段に記憶されている場合には、前記表示装置に出力するデータに前記出力命令済みリスト記憶手段に当該データ名と対応して記憶されている文書管理ツール名を示す識別情報を付加する付加処理と、
前記文書データ又は画像データの出力が完了した場合に、前記出力命令済みリスト記憶手段から当該データのデータ名と文書管理ツール名とを削除する削除処理と
を前記コンピュータに実行させ、
前記アプリケーションプログラムは、前記文書管理ツールプログラムから文書データ又は画像データの出力の指示があった場合には、当該データを前記表示装置ドライバプログラムに送る処理を前記コンピュータに実行させ、
前記表示装置は、表示画面を備え、前記表示装置ドライバプログラムが送って来る文書データの前記識別情報を参照し、当該識別情報の種類に基づいた表示を前記表示画面に行う表示制御手段を備えたことを特徴とする文書表示システム。
【請求項２】
前記表示制御手段は、前記表示装置ドライバプログラムが送って来る文書データの前記識別情報を参照し、当該識別情報の種類毎に分類されたリスト表示を前記表示画面に行うことを特徴とする請求項１に記載の文書表示システム。
【請求項３】
前記表示制御手段は、前記表示装置ドライバプログラムが送って来る文書データの前記識別情報を参照し、当該文書データのリスト表示の付加情報として、前記識別情報の種類を前記表示画面に表示することを特徴とする請求項１に記載の文書表示システム。
【請求項４】
文書データ又は画像データの管理を行う文書管理ツールプログラムと、文書データ又は画像データの出力を指示するアプリケーションプログラムと、表示装置ドライバプログラムとが実行されるコンピュータと、当該コンピュータからの文書データ又は画像データを受信して表示する表示装置とから構成された文書表示システムの前記コンピュータで実行される表示装置ドライバプログラムであって、
前記コンピュータには、印刷する文書の文書名と当該文書データ又は画像データの出力を命令した文書管理ツール名とを対応させて記憶する出力命令済みリスト記憶手段が設けられており、
前記表示装置ドライバプログラムは、文書データ又は画像データの出力処理を前記コンピュータに実行させる場合には、前記出力命令済みリスト記憶手段を参照し、現在処理中のデータ名が前記出力命令済みリスト記憶手段に記憶されている場合には、前記表示装置に出力するデータに前記出力命令済みリスト記憶手段に当該データ名と対応して記憶されている文書管理ツール名を示す識別情報を付加する付加処理と、
前記文書データ又は画像データの出力が完了した場合に、前記出力命令済みリスト記憶手段から当該データのデータ名と文書管理ツール名とを削除する削除処理と
を前記コンピュータに実行させることを特徴とする表示装置ドライバプログラム。
【請求項５】
文書データ又は画像データの管理を行う文書管理ツールプログラムと、データ又は画像データの出力を指示するアプリケーションプログラムと、表示装置ドライバプログラムとが実行されるコンピュータと、当該コンピュータからの文書データ又は画像データを受信して表示する表示装置とから構成された文書表示システムの前記コンピュータで実行される文書管理ツールプログラムであって、
前記コンピュータには、出力するデータのデータ名と当該データの出力を命令した文書管理ツール名とを対応させて記憶する出力命令済みリスト記憶手段が設けられており、
前記文書管理ツールプログラムは、文書データ又は画像データの出力を命令する処理を前記コンピュータに実行させる場合には、前記出力命令済みリスト記憶手段に当該データのデータ名と当該データの出力を命令した文書管理ツール名とを対応させて記憶させる記憶処理を前記コンピュータに実行させることを特徴とする文書管理ツールプログラム。
【発明の詳細な説明】
【技術分野】
【０００１】
本発明は、文書表示システム、表示装置ドライバプログラム及び文書管理ツールプログラムに関する。
【背景技術】
【０００２】
従来、データ転送プログラムの一例として、イメージデータを転送するデバイスドライバが知られている。このデバイスドライバは、パーソナルコンピュータなどのコンピュータ（以下、ＰＣという）のＯｐｅｒａｔｉｎｇ−Ｓｙｓｔｅｍ（以下ＯＳという）と協働して動作し、ＯＳから供給されるラスターデータに基づいてイメージデータを生成し、表示装置へ転送する。
【０００３】
このようなデバイスドライバは、実際にはプリンタへデータを出力するものではないものの、ＯＳから供給されるラスターデータに基づいて表示装置で画像形成に用いることができる形式のイメージデータを生成して表示装置へ転送する。そのため、プリンタドライバと呼ばれる。なお、このデバイスドライバは、プリンタ用のデバイスドライバであるプリンタドライバと区別するために、仮想プリンタドライバとも呼ばれることもある。
【０００４】
上記プリンタドライバとして、ＰＣに搭載されている文書作成ソフトなどで作成したデータファイルを、表示装置用のイメージデータに変換し、変換したイメージデータを表示装置へ転送するプログラムが知られている（例えば、特許文献１参照）。
【０００５】
この場合、プリンタドライバは、表示装置へのイメージデータの出力をＯＳに依頼することになる。出力を依頼されたＯＳは、予めプリンタドライバに対して割り当てられているプリンタポートに従って、表示装置と通信する通信インタフェースを特定し、その通信インタフェースにイメージデータの出力を行わせる。
【０００６】
また、上記、プリンタドライバを使用して、共通の文書形式に変換して、文書管理を行うシステムが知られている。この従来の文書管理システムでは、プリンタドライバからの出力については一本化されて文書印刷装置に送られていた。また、特許文献１に示す、パーソナルコンピュータから表示データを受信して内部に記憶して表示する携帯型の表示装置では、パーソナルコンピュータで起動しているアプリケーションからの表示データの出力指示がGraphic Device Interface（以下、「ＧＤＩ」という。）へ出力されて、表示装置ドライバにより当該表示装置用にデータが作成されて表示装置に出力されていた。
【先行技術文献】
【特許文献】
【０００７】
【特許文献１】特開２００９−１２８６７０号公報
【発明の概要】
【発明が解決しようとする課題】
【０００８】
しかしながら、従来の文書管理システムでは、プリンタドライバからの出力については一本化されており、それらの出力がどういった経緯で入力されたかを区別することができないという問題点があった。具体的には、文書管理ツールから印刷指示コマンドを用いて印刷指示された場合と、各アプリケーションから印刷操作された場合との区別が付かなかった。また、文書管理ツールが複数有る場合には、どの文書管理ツールからの印刷指示で印刷されたかを区別できなかった。
【０００９】
本発明は、上記課題を解決するためになされたものであり、文書管理ツールからの出力命令が出された場合に、その文書管理ツールの種類を表示装置ドライバからの出力データで区別できる文書表示システム、表示装置ドライバプログラム及び文書管理ツールプログラムを提供することを目的とする。
【課題を解決するための手段】
【００１０】
上記目的を達成するために、本発明の第１の態様の文書表示システムでは、文書データ又は画像データの管理を行う文書管理ツールプログラムと、文書データ又は画像データの出力を指示するアプリケーションプログラムと、表示装置ドライバプログラムとが実行されるコンピュータと、当該コンピュータからの文書データ又は画像データを受信して表示する表示装置とから構成された文書表示システムであって、前記コンピュータには、出力するデータのデータ名と当該データの出力を命令した文書管理ツール名とを対応させて記憶する出力命令済みリスト記憶手段を備え、前記文書管理ツールプログラムは、当該文書管理ツールプログラムが文書データ又は画像データの出力を命令した場合に、前記出力命令済みリスト記憶手段に当該データのデータ名と当該データの出力を命令した文書管理ツール名とを対応させて記憶する記憶処理を前記コンピュータに実行させ、前記アプリケーションプログラムは、前記文書管理ツールプログラムから文書データ又は画像データの出力の指示があった場合には、当該データを前記表示装置ドライバプログラムに送る処理を前記コンピュータに実行させ、前記表示装置ドライバプログラムは、文書データ又は画像データの出力処理を行う場合には、前記出力命令済みリスト記憶手段を参照し、現在処理中のデータ名が前記出力命令済みリスト記憶手段に記憶されている場合には、前記表示装置に出力するデータに前記出力命令済みリスト記憶手段に当該データ名と対応して記憶されている文書管理ツール名を示す識別情報を付加する付加処理と、前記文書データ又は画像データの出力が完了した場合に、前記出力命令済みリスト記憶手段から当該データのデータ名と文書管理ツール名とを削除する削除処理とを前記コンピュータに実行させ、前記表示装置は、表示画面を備え、前記表示装置ドライバプログラムが送って来る文書データの前記識別情報を参照し、当該識別情報の種類に基づいた表示を前記表示画面に行う表示制御手段を備えたことを特徴とする。
【００１１】
上記構成の文書表示システムでは、表示装置は、表示装置ドライバプログラムが送って来る文書データ又は画像データの識別情報を参照し、当該識別情報の種類に基づいた表示を表示画面に行うことができるので、出力データが文書管理ツールプログラムから生成されたか、各アプリケーションプログラムから直接出力を指示されたかを区別できる。従って、文書管理ツールプログラムにおけるデータの整理・管理が簡易化できる。
【００１２】
また、前記表示制御手段は、前記表示装置ドライバプログラムが送って来る文書データの前記識別情報を参照し、当該識別情報の種類毎に分類されたリスト表示を前記表示画面に行うようにしても良い。
【００１３】
この構成の文書表示システムでは、表示画面に表示されたリスト表示により、出力データが文書管理ツールプログラムから生成されたか、各アプリケーションプログラムから直接出力を指示されたかを区別できる。
【００１４】
また、前記表示制御手段は、前記表示装置ドライバプログラムが送って来る文書データの前記識別情報を参照し、当該文書データのリスト表示の付加情報として、前記識別情報の種類を前記表示画面に表示するようにしても良い。
【００１５】
この構成の文書表示システムでは、表示画面に表示された識別情報の種類の表示により、出力データが文書管理ツールプログラムから生成されたか、各アプリケーションプログラムから直接出力を指示されたかを区別できる。
【００１６】
また、本発明の第二の態様の表示装置ドライバプログラムは、文書データ又は画像データの管理を行う文書管理ツールプログラムと、文書データ又は画像データの出力を指示するアプリケーションプログラムと、表示装置ドライバプログラムとが実行されるコンピュータと、当該コンピュータからの文書データ又は画像データを受信して表示する表示装置とから構成された文書表示システムの前記コンピュータで実行される表示装置ドライバプログラムであって、前記コンピュータには、印刷する文書の文書名と当該文書データ又は画像データの出力を命令した文書管理ツール名とを対応させて記憶する出力命令済みリスト記憶手段が設けられており、前記表示装置ドライバプログラムは、文書データ又は画像データの出力処理を前記コンピュータに実行させる場合には、前記出力命令済みリスト記憶手段を参照し、現在処理中のデータ名が前記出力命令済みリスト記憶手段に記憶されている場合には、前記表示装置に出力するデータに前記出力命令済みリスト記憶手段に当該データ名と対応して記憶されている文書管理ツール名を示す識別情報を付加する付加処理と、前記文書データ又は画像データの出力が完了した場合に、前記出力命令済みリスト記憶手段から当該データのデータ名と文書管理ツール名とを削除する削除処理とを前記コンピュータに実行させることを特徴とする。
【００１７】
この構成の表示装置ドライバプログラムでは、現在処理中の文書名が前記出力命令済みリスト記憶手段に記憶されている場合には、前記表示装置に出力する文書データに前記出力命令済みリスト記憶手段に当該文書名と対応して記憶されている文書管理ツール名を示す識別情報を付加することができる。また、前記文書データ又は画像データの出力が完了した場合に、前記出力命令済みリスト記憶手段から当該データのデータ名と文書管理ツール名とを削除することができる。
【００１８】
また、本発明の第三の態様の文書管理ツールプログラムは、文書データ又は画像データの管理を行う文書管理ツールプログラムと、データ又は画像データの出力を指示するアプリケーションプログラムと、表示装置ドライバプログラムとが実行されるコンピュータと、当該コンピュータからの文書データ又は画像データを受信して表示する表示装置とから構成された文書表示システムの前記コンピュータで実行される文書管理ツールプログラムであって、前記コンピュータには、出力するデータのデータ名と当該データの出力を命令した文書管理ツール名とを対応させて記憶する出力命令済みリスト記憶手段が設けられており、前記文書管理ツールプログラムは、文書データ又は画像データの出力を命令する処理を前記コンピュータに実行させる場合には、前記出力命令済みリスト記憶手段に当該データのデータ名と当該データの出力を命令した文書管理ツール名とを対応させて記憶させる記憶処理を前記コンピュータに実行させることを特徴とする。
【００１９】
この構成の文書管理ツールプログラムでは、文書データ又は画像データの出力を命令する処理を前記コンピュータに実行させる場合には、前記出力命令済みリスト記憶手段に当該データのデータ名と当該データの出力を命令した文書管理ツール名とを対応させて記憶させることができる。
【図面の簡単な説明】
【００２０】
【図１】文書表示システム７の構成図である。
【図２】表示装置３０のブロック図である。
【図３】表示装置３０のメモリカード４０内の従来のデータ構造の一例である。
【図４】表示装置３０のメモリカード４０内の本実施の形態のデータ構造の一例である。
【図５】出力命令済みリスト５０のデータ構造の一例である。
【図６】文書管理ツールでの登録処理のフローチャートである。
【図７】表示装置ドライバでの処理のフローチャートである。
【図８】文書管理ツール（Ａ）からの出力データの登録の概念図である。
【図９】文書管理ツール（Ｂ）からの出力データの登録の概念図である。
【図１０】アプリケーションの出力データの登録の概念図である。
【図１１】表示装置３０でのデータ受信処理のフローチャートである。
【図１２】表示装置３０でのタグ別表示処理のフローチャートである。
【図１３】表示装置３０でのタグ別表示の概念図である。
【図１４】表示装置３０での文書リスト表示の概念図である。
【図１５】表示装置３０での管理ツール毎の表示処理の概念図である。
【発明を実施するための形態】
【００２１】
以下、本発明に係る一実施の形態である文書表示システム７について図面を参照して説明する。図１に示すように、本実施の形態の文書表示システム７は、パーソナルコンピュータ（以下、「ＰＣ」という。）１０と、当該ＰＣ１０に接続される表示装置３０とから構成されている。
【００２２】
図１を参照して、ＰＣ１０の構造を説明する。ＰＣ１０には、各種の演算処理を行うＣＰＵ１１と、ＢＩＯＳ等を記憶したＲＯＭ１２と、各種データを一時的に記憶するＲＡＭ１３が設けられている。また、ＰＣ１０には、オペレーティングシステム（以下、「ＯＳ」という。）、各種のアプリケーションプログラム、各種ドライバプログラム、各種の文書データ、画像データ、出力命令済みリスト等を記憶したハードディスク（以下、「ＨＤＤ」という。）１４と、ＵＳＢホストコントローラ１５と、これらを結ぶデータバス１６とが設けられている。また、ＰＣ１０には、キーボード１７、ディスプレイ１８、マウス１９が接続されている。また、ＵＳＢホストコントローラ１５には、表示装置３０が接続されている。表示装置３０の一例としては、電源を切っても画像が表示状態で保持される電子ペーパー装置を用いることができる。また、ＰＤＡ、スマートフォン等を用いても良い。
【００２３】
次に、図２を参照して、表示装置３０の構造を説明する。表示装置３０には、表示装置３０の主制御を司るＣＰＵ３１と、ＯＳや制御プログラムを記憶したＲＯＭ３２と、各種データを一時的に記憶するＲＡＭ３３と、各種設定等を記憶するＥＥＰＲＯＭ３４と、これらを接続するデータバス２９が設けられている。また、表示装置３０には、各種の指示を入力する入力部３５と、文字や画像を表示する表示部３６と、ＰＣ１０とＵＳＢケーブルを介して通信するためのＵＳＢディバイスコントローラ３７と、メモリカード４０が挿入されるメモリカードインターフェース（以下、「メモリカードＩ／Ｆ」という。）３８、電源を供給する電源部３９が設けられている。尚、メモリカード４０にはＰＣ１０等から受信した表示用のデータ等が記憶される。
【００２４】
次に、図３を参照して、メモリカード４０に記憶される文書データ１４１のデータ構造の従来例を説明する。メモリカード４０に記憶される文書データ１４１の従来のデータ構造は、少なくとも表示用のデータである文書データ１４２と、その属性を示すプロパティとしての、文書名１４３、文書データのページ数１４４、その文書データが最後に閲覧された閲覧日１４５とから構成されている。この従来の文書データ１４２のデータ構造では、当該文書データがどの文書管理ツールで生成されたものかは不明である。
【００２５】
次に、図４を参照して、本実施の形態のメモリカード４０に記憶される文書データ４１のデータ構造の従来例を説明する。メモリカード４０に記憶される文書データ４１のデータ構造は、少なくとも表示用のデータである文書データ４２と、その属性を示すプロパティとしての、文書名４３、文書データのページ数４４、その文書データが最後に閲覧された閲覧日４５と、どの文書管理ツールで生成されたかを示す生成元４６とから構成されている。本実施の形態の文書データ４２のデータ構造では、生成元４６のデータを記憶しているので、当該文書データがどの文書管理ツールで生成されたかが分かる。生成元４６のデータが「識別情報」としての所謂「タグ」の働きをする。
【００２６】
次に、図５を参照して、本実施の形態のＰＣ１０のＨＤＤ１４に記憶される出力命令済みリスト５０について説明する。この出力命令済みリスト５０には、ナンバー欄５１，文書名欄５２，データの生成元欄５３があり、文書データや画像データの出力命令がなされると、順番に記憶され、出力が完了すると削除されるようになっている。
【００２７】
次に、図６及び図７に示すフローチャートと、図８〜図１０のデータ登録の概念図を参照して、本実施の形態のＰＣ１０から表示装置３０に対して行われる文書データや画像データ等の出力処理及び出力命令済みリスト５０への出力済み命令の登録処理について説明する。先ず、ＰＣ１０において起動している文書管理ツール（Ａ）（図８参照）や文書管理ツール（Ｂ）（図９参照）で、当該ＰＣ１０に接続されている表示装置３０へ文書データや画像データを出力する出力命令の操作がなされると、図６に示す登録処理のプログラムが起動する。この登録処理では、表示装置３０への出力が命令された全文書データ（画像データも含む）の出力が終了していない場合には（Ｓ１０：ＮＯ）、初めに、指定された文書データ（画像データも含む）の出力命令のコマンドを実行する（Ｓ１１）。この処理は、具体的には、図８及び図９に示すように、文書管理ツール（Ａ）１０１や文書管理ツール（Ｂ）２０１からＯＳ１００に対して、出力命令が送られる。図１３に示すように、文書管理ツール（Ａ）の一例は、特許明細書の文書管理ツールであり、文書管理ツール（Ｂ）の一例は、メールソフトである。また、アプリケーション１０２の一例としては、ワードプロセッサ、表計算ソフト、ＰＤＦ表示ソフト等である。
【００２８】
次に、ＯＳ１００からの出力命令の実行結果を取得する（Ｓ１２）。次いで、出力命令の成功がＯＳ１００から文書管理ツール（Ａ）１０１や文書管理ツール（Ｂ）２０１に返されていた場合には（Ｓ１３：ＹＥＳ）、出力命令済みリスト５０に出力命令が出された処理中の文書を追加登録する（Ｓ１４）。次いで、表示装置３０への出力が命令された全文書データ（画像データも含む）の出力が終了していない場合には（Ｓ１０：ＮＯ）、Ｓ１１〜Ｓ１４の処理を繰り返す。表示装置３０への出力が命令された全文書データ（画像データも含む）の出力が終了した場合には（Ｓ１０：ＹＥＳ）、登録処理を終了する。
【００２９】
次いで、図８及び図９に示すように、ＯＳ１００からは、ＯＳ１００に登録されているアプリケーション１０２に出力命令を送る。例えば、文書管理ツール（Ａ）１０１や文書管理ツール（Ｂ）２０１で出力命令がされたデータがワードプロセッサの文書であれば、当該データ用のワードプロセッサに出力命令を送る。また、出力命令がされたデータがメールの文書であれば、当該文書用のメールソフトに出力命令を送る。また、出力命令がされたデータが図形や画像やＰＤＦのデータであれば、当該データを印刷できるソフトに出力命令を送る。次いで、ＯＳ１００に搭載されたＧＤＩ１０３のコントロールにより、表示装置３０のドライバ１０４で出力データ（文書データ）に生成元を示すタグを付加する処理を行う。
【００３０】
次に、図７に示すフローチャートと、図８〜図１０の概念図を参照して、表示装置ドライバ１０４で行われる処理について説明する。表示装置ドライバ１０４は、出力データをページ毎に生成する（Ｓ２０）。次いで、生成した出力データと出力コマンドをＵＳＢのＵＳＢホストコントローラ１５のポートに出力する（Ｓ２１）。指定された全データの出力が完了するまでは（Ｓ２２：ＮＯ）、Ｓ２０及びＳ２１の処理を繰り返す。指定された全データの出力が完了した場合は（Ｓ２２：ＹＥＳ）、出力命令済みリスト５０に処理中の文書が登録されているか否かを判断する（Ｓ２３）。このＳ２３の処理は、出力命令済みリスト５０を参照して、当該処理中の文書が登録されているか否かを文書名で判断する。出力命令済みリスト５０に登録されていた場合には（Ｓ２３：ＹＥＳ）、出力命令済みリスト５０から当該文書を生成した文書管理ツール情報を取得し、ＲＡＭ１３に記憶する（Ｓ２４）。例えば、処理中の文書が、図５に示す文書１の場合には、文書管理ツール（Ａ）を生成元の情報として取得する（Ｓ２４）。
【００３１】
次いで、出力命令済みリスト５０から当該処理中の文書を削除する（Ｓ２５）。例えば、処理中の文書が、図５に示す文書１の場合には、文書１のデータ（文書名及び生成元の文書管理ツール名）を削除する（Ｓ２５）。次いで、Ｓ２４で取得した文書管理ツール情報と出力コマンドをＵＳＢのＵＳＢホストコントローラ１５のポートに出力する（Ｓ２６）。その後、処理を終了する。
【００３２】
次に、図１０を参照して、アプリケーション１０２が直接、表示装置３０への表示データの出力の命令をする場合を説明する。例えは、文書管理ツールからでなく、ワードプロセッサ、表計算ソフト、ＰＤＦの表示ソフト、図形データの表示ソフト等が直接起動されて、表示データの出力を表示装置３０に行う場合には、ＯＳ１００に搭載されたＧＤＩ１０３のコントロールにより、表示装置３０のドライバ１０４で出力データ（文書データ）に生成元を示すタグを付加する処理を行うが、出力命令済みリスト５０を参照しても、当該文書名は登録されていない。これは、出力命令済みリスト５０には、文書管理ツールから出力命令がなされた場合しか文書名と対応した文書管理ツール名が記憶されないからである。ドライバ１０４では、出力データに「タグなし」とのタグを追加してＵＳＢのＵＳＢホストコントローラ１５のポートに出力する。
【００３３】
次に、図１１のデータ受信処理のフローチャートを参照して、ＰＣ１０に接続された表示装置３０で行われるデータ受信処理について説明する。表示装置３０では、ＵＳＢディバイスコントローラ３７のポートを介してＰＣ１０から送られてくる出力データと出力コマンドを受信する（Ｓ３０）。受信した情報は、メモリカード４０に文書データ４１として記憶する。受信完了までは（Ｓ３１：ＮＯ）、Ｓ３０の処理を行う。受信完了した場合には（Ｓ３１：ＹＥＳ）、文書管理ツール情報と出力コマンドをＵＳＢディバイスコントローラ３７のポートから受信する（Ｓ３２）。文書管理ツール情報と出力コマンドとの受信があった場合には（Ｓ３３：ＹＥＳ）、図４に示すメモリカード４０の文書データ４１の文書プロパティの生成元４５に受信した文書管理ツール情報を追加する（Ｓ３４）。図４に示す例では、文書管理ツール（Ａ）からであることを示している。また、文書管理ツール情報と出力コマンドとの受信がない場合には（Ｓ３３：ＮＯ）、図４に示すメモリカード４０の文書データ４１の文書プロパティの生成元４５に「ＮＯＮＥ」を追加する（Ｓ３５）。その後、処理を終了する。
【００３４】
次に、図１２に示すフローチャートを参照して、表示装置３０で行われるタグ別表示処理について説明する。このタグ別表示処理は、表示装置３０で入力部３５（図２参照）が操作されることにより、表示装置３０が複数受信してメモリカード４０に記憶している表示データを表示装置３０の表示画面にタグ別（受信した出力データの生成元毎）に表示する処理である。まず、表示装置３０で所定の機能ボタンが操作されることにより、表示装置３０の入力部３５が操作されてタグ別表示処理の命令が入力されると、まず、表示装置３０のＲＡＭ３２に記憶されているタグ別リストを初期化する（Ｓ４０）。このタグ別リストは、受信した出力データ（文書データ）の生成元毎ごとに分けた文書名のリストである。
【００３５】
全出力データ（全文書）の処理が完了するまでは（Ｓ４１：ＮＯ）、図４に示すメモリカード４０の文書データ４１の文書プロパティの生成元４５に指定されたタグが含まれるか否かを判断する（Ｓ４３）。例えば、文書管理ツール（Ａ）（特許明細書文書管理ツール）が生成元データがあった場合は（Ｓ４３：ＹＥＳ）、タグ別リスト（文書管理ツール（Ａ）（特許明細書文書管理ツール））のリストに当該文書名（例えば、文書１）を追加記憶する（Ｓ４４）。その後、Ｓ４１の判断処理に戻る。また、文書管理ツール（Ａ）（特許明細書文書管理ツール）が生成元データが無い場合は（Ｓ４３：ＮＯ）、Ｓ４１の判断処理に戻る。その後、全文書の判断処理を終了した場合には（Ｓ４１：ＹＥＳ）、表示装置３０の入力部３５が操作の操作により、図１３に示すように、タグ別の表示が可能である。図１３に示す例では、特許明細書管理ツールからの文書データの表示、メールソフトからの文書データの表示、ＰＤＦデータの表示が可能である。
【００３６】
尚、本実施の形態では、図１４に示すように、表示装置３０における文書リストの表示として、図４に示すメモリカード４０の文書データ４１の文書プロパティの生成元４５のデータに基づいて、文書１：管理ツール（Ａ）、文書２：管理ツール（Ｂ）、文書３：Ｎｏｎｅとの表示を行い、表示用の文書データの生成元が、何れの文書管理ツールかその他のアプリケーションかを一覧に表示することも可能である。
【００３７】
また、本実施の形態では、図１５に示すように、表示装置３０における文書リストの表示として、図４に示すメモリカード４０の文書データ４１の文書プロパティの生成元４５のデータに基づいて、「＜管理ツール（Ｂ）＞、文書２」というように、文書データの生成元毎に、文書データを表示することも可能である。
【００３８】
尚、本発明は上記実施の形態に限られず、各種の変形が可能なことは言うまでもない。例えば、表示装置ドライバ１０４から表示装置３０へのデータ出力に文書管理ツールを介するようにしても良い。また、文書管理ツールの数は２つに限られず、３つ以上必要に応じて用いても良い。
【００３９】
また、どの文書管理ツールか直接印刷かを区別するデータはタグ（識別情報）に限られない。表示装置で区別可能なデータに合わせて文書管理ツール情報が管理しても良い。例えば、表示装置内で文書がフォルダ管理されている場合には、文書管理ツール情報を元に、文書管理ツール毎のフォルダに登録されても良い。
【符号の説明】
【００４０】
７  文書表示システム
１０  ＰＣ
１１  ＣＰＵ
１２  ＲＯＭ
１３  ＲＡＭ
１４  ＨＤＤ
３０  表示装置
３１  ＣＰＵ
３２  ＲＯＭ
３３  ＲＡＭ
３４  ＥＥＰＲＯＭ
３５  入力部
３６  表示部
３８  メモリカードＩ／Ｆ
４０  メモリカード
４１  文書データ
５０  出力命令済みリスト
１００  ＯＳ
１０１ 文書管理ツール（Ａ）
１０２ アプリケーション
２０１ 文書管理ツール（Ｂ）
１０２  アプリケーション
１０４  表示装置ドライバ
１０３  ＧＤＩ
【図１】
2011180788.tif 000003
【図２】
2011180788.tif 000004
【図３】
2011180788.tif 000005
【図４】
2011180788.tif 000006
【図５】
2011180788.tif 000007
【図６】
2011180788.tif 000008
【図７】
2011180788.tif 000009
【図８】
2011180788.tif 000010
【図９】
2011180788.tif 000011
【図１０】
2011180788.tif 000012
【図１１】
2011180788.tif 000013
【図１２】
2011180788.tif 000014
【図１３】
2011180788.tif 000015
【図１４】
2011180788.tif 000016
【図１５】
2011180788.tif 000017